(57)【特許請求の範囲】
【請求項１】
ベースと、
前記ベースの上に配置され、冷媒を圧縮する圧縮機と、
前記ベースの上に配置された容器と、
前記容器内に配置され、前記冷媒と熱媒体との間で熱を交換する熱交換器と、
前記ベースの上に配置され、弾性を有する弾性部材と、
前記ベースの下に配置され、前記圧縮機よりも前記熱交換器に近い位置にある第一足部材と、
前記ベースの下に配置され、前記熱交換器よりも前記圧縮機に近い位置にある第二足部材と、
を備え、
前記容器は、前記ベースに接する第一下面と、前記ベースに接しない第二下面とを有し、
前記弾性部材は、前記第二下面と前記ベースとに接するヒートポンプ装置。
【請求項２】
前記第二下面は、前記第一下面よりも高い位置にある請求項１に記載のヒートポンプ装置。
【請求項３】
前記弾性部材は、前記第一足部材と第二足部材との間の位置の上方にあり、
前記第一下面は、前記第一足部材の上方にある請求項１または請求項２に記載のヒートポンプ装置。
【請求項４】
前記容器は、前記圧縮機に最も近い第一端部を有し、
前記弾性部材は、前記第一端部まで延びている請求項３に記載のヒートポンプ装置。
【請求項５】
前記弾性部材は、前記第二下面の縁部に沿って延びるように配置されており、
前記第二下面の前記縁部よりも内側の領域には前記弾性部材が配置されていない請求項１から請求項４のいずれか一項に記載のヒートポンプ装置。
【請求項６】
前記弾性部材は、前記第二下面の縁部に沿って延びるように配置された外側部分と、前記第二下面の前記縁部よりも内側の領域に配置された内側部分とを有する請求項１から請求項４のいずれか一項に記載のヒートポンプ装置。
【請求項７】
前記弾性部材のうちの前記圧縮機に近い部分の厚さが、前記弾性部材のうちの前記圧縮機から遠い部分の厚さよりも厚い請求項１から請求項６のいずれか一項に記載のヒートポンプ装置。
【請求項８】
前記弾性部材は、前記容器よりも低い弾性率を有する請求項１から請求項７のいずれか一項に記載のヒートポンプ装置。
【発明の詳細な説明】
【技術分野】
【０００１】
本発明は、ヒートポンプ装置に関する。
【背景技術】
【０００２】
空気の熱を吸収して湯を沸かすことのできる、エネルギー効率に優れたヒートポンプ式給湯機が広く用いられている。ヒートポンプ式給湯機が備えるヒートポンプ給湯室外機は、空気の熱を冷媒に吸収させる空気冷媒熱交換器と、この空気冷媒熱交換器に送風する送風機と、冷媒を圧縮する圧縮機と、冷媒の熱によって水を加熱する水冷媒熱交換器とを備える（例えば、特許文献１参照）。
【先行技術文献】
【特許文献】
【０００３】
【特許文献１】日本特開２０１１−２４７５２３号公報
【発明の概要】
【発明が解決しようとする課題】
【０００４】
圧縮機の作動時には、ヒートポンプ給湯室外機の筐体等が圧縮機により励振され、騒音を生ずる場合がある。【０００５】
本発明は、上述のような課題を解決するためになされたもので、低周波音のような騒音の放射を低コストで低減することのできるヒートポンプ装置を提供することを目的とする。
【課題を解決するための手段】
【０００６】
本発明のヒートポンプ装置は、ベースと、ベースの上に配置され、冷媒を圧縮する圧縮機と、ベースの上に配置された容器と、容器内に配置され、冷媒と熱媒体との間で熱を交換する熱交換器と、ベースの上に配置され、弾性を有する弾性部材と、ベースの下に配置され、圧縮機よりも熱交換器に近い位置にある第一足部材と、ベースの下に配置され、熱交換器よりも圧縮機に近い位置にある第二足部材と、を備え、容器は、ベースに接する第一下面と、ベースに接しない第二下面とを有し、弾性部材は、第二下面とベースとに接するものである。
【発明の効果】
【０００７】
本発明によれば、低周波音のような騒音の放射を低コストで低減することのできるヒートポンプ装置を提供することが可能となる。
【図面の簡単な説明】
【０００８】
【図１】実施の形態１によるヒートポンプ給湯室外機を示す分解斜視図である。
【図２】図１に示すヒートポンプ給湯室外機におけるベースに対する水冷媒熱交換器の設置状態を説明するための分解斜視図である。
【図３】図１に示すヒートポンプ給湯室外機の内部構造を示す正面図及び要部拡大図である。
【図４】図１に示すヒートポンプ給湯室外機の一部を模式的に示す正面断面図である。
【図５】図１に示すヒートポンプ給湯室外機の一部を示す正面図である。
【図６】実施の形態２によるヒートポンプ給湯室外機の一部を示す正面図である。
【図７】図６に示すヒートポンプ給湯室外機の一部を模式的に示す正面断面図である。
【図８】実施の形態３によるヒートポンプ給湯室外機の一部を模式的に示す正面断面図である。
【図９】実施の形態４によるヒートポンプ給湯室外機が備える容器及び弾性部材の下面図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１によるヒートポンプ給湯室外機を示す分解斜視図である。図１に示すヒートポンプ給湯室外機１は、本開示によるヒートポンプ装置の例である。図１中の左下がヒートポンプ給湯室外機１の前に相当し、図１中の右上がヒートポンプ給湯室外機１の後ろに相当する。
【００１１】
図１に示すように、本実施の形態のヒートポンプ給湯室外機１は、底部を形成するベース１７と、筐体とで構成される外郭を有している。筐体は、前面部１８、後面部１９、上面部２０、右側面部２１及び左側面部２２を有する。ヒートポンプ給湯室外機１の、空気冷媒熱交換器７が設置された部分以外の領域は、上記のベース１７及び筐体で覆われている。ベース１７及び筐体は、例えば板金材から成形される。ヒートポンプ給湯室外機１の内部は、仕切板１６により、前面から見て右側の機械室１４と、左側の送風機室１５とに区画されている。後に詳述するが、送風機室１５の下方のベース１７の上には、水冷媒熱交換器８が設置されている。
【００１２】
図１では図示を省略しているものもあるが、機械室１４内には、冷媒を圧縮するための圧縮機２、冷媒を減圧するための膨張弁、これらを接続する吸入管４及び吐出管５等の冷媒配管、その他の冷媒回路部品が組み込まれている。圧縮機２の内部には、冷媒の圧縮動作を行う圧縮部（図示せず）と、圧縮部と接続され圧縮部を駆動するモータ（図示せず）とが組み込まれている。外部から供給される電力によりモータ及び圧縮部が所定の回転速度で回転する。また、圧縮機２の下部に取り付けられた足部材２ａには、３個から４個の防振マウント３が取り付けられている。防振マウント３は、概略形状が円筒形のゴムあるいは金属コイルの成形品である。防振マウント３は、ベース１７の上面に設置され、圧縮機２を弾性的に支持している。また、冷媒を吸入するための吸入管４と、冷媒を圧縮機２の内部で圧縮した後に吐出するための吐出管５とが、圧縮機２にそれぞれ取り付けられている。圧縮機２は、吐出管５を介して水冷媒熱交換器８の冷媒入口部と接続されている。水冷媒熱交換器８の冷媒出口部は、出口側冷媒配管を介して膨張弁（図示せず）の入口部と接続されている。膨張弁は、冷媒流路の本体外側面にコイル部材が取り付けられ、このコイル部材に外部から通電することにより発生する電磁作用により、内部の流路抵抗調節部を稼動させて冷媒の流路抵抗を調節し、膨張弁の上流側の高圧冷媒と下流側の低圧冷媒とを所定の圧力に調節している。膨張弁の出口部は、別の冷媒配管を介して空気冷媒熱交換器７の冷媒入口部と接続されている。空気冷媒熱交換器７の冷媒出口部は、吸入管４を介して圧縮機２と接続されている。また、冷媒配管の途中にはその他の冷媒回路部品が取り付けられている場合もある。このように構成された冷媒回路の密閉空間内に所定の量の冷媒が封入されている。冷媒としては、例えば二酸化炭素が使用される。
【００１３】
更に、機械室１４内には、水冷媒熱交換器８の水入口部に接続された内部水配管２７と、水冷媒熱交換器８の湯出口部に接続された内部水配管２８とを含む水回路部品が組み込まれている。水入口バルブ２９及び湯出口バルブ３０は、ベース１７の右端部と、筐体の右側面部２１の下部とに取り付けられている。内部水配管２７は、水入口バルブ２９に接続されている。内部水配管２８は、湯出口バルブ３０に接続されている。筐体の右側面部２１において、水入口バルブ２９が上部、湯出口バルブ３０が下部に、並んで配置されている。また、水入口バルブ２９と湯出口バルブ３０を保護するため、サービスパネル２３が右側面部２１に取り付けられている。
【００１４】
送風機室１５内には、送風機６と、送風機６の後方に配置された空気冷媒熱交換器７とが組み込まれている。送風機室１５内は、風路確保のため大きな空間を有している。送風機６は、２枚から３枚の翼を有するプロペラ翼と、このプロペラ翼を回転駆動させるモータとが組み合わされている。外部から電力がモータに供給されることによりプロペラ翼が所定の回転速度で回転する。空気冷媒熱交換器７は、複数回往復曲げ成形された長い冷媒配管に多数のアルミ薄板のフィンが密着して構成され、略平板状の全体形状を有している。この空気冷媒熱交換器７では、冷媒配管内の冷媒とフィン周辺の空気との間で熱が交換される。送風機６により各フィン間を流れて通過する空気の風量が増やされて調節され、熱交換の量が増やされて調節されている。
【００１５】
電気部品収納箱９には、圧縮機２、膨張弁、送風機６等を駆動制御するインバータ電源等の電気部品が収納されている。インバータ電源は、圧縮機２のモータの回転速度を数十ｒｐｓ（Ｈｚ）〜百ｒｐｓ（Ｈｚ）程度の所定の回転速度に変化させ、また、膨張弁の開度を所定の量に変化させ、また、送風機６の回転速度を数百ｒｐｍ〜千ｒｐｍ程度の所定の回転速度に変化させるよう制御する。電気部品収納箱９の右部には、外部電気配線を接続する端子台９ａが設けられている。筐体の右側面部２１に取り付けられたサービスパネル２３がこの端子台９ａを保護している。
【００１６】
図２は、図１に示すヒートポンプ給湯室外機１におけるベース１７に対する水冷媒熱交換器８の設置状態を説明するための分解斜視図である。図３は、図１に示すヒートポンプ給湯室外機１の内部構造を示す正面図及び要部拡大図である。
【００１７】
水冷媒熱交換器８は、冷媒の熱を水に伝熱させて水を加熱するための装置である。本実施の形態における水は、液状の熱媒体に相当する。後述するように、水冷媒熱交換器８の本体は、長尺な水配管８ａ及び冷媒管８ｂが組み合わされた構成となっている。水配管８ａ及び冷媒管８ｂの重量に加えて、水配管８ａ内を満たす水の重量と、冷媒管８ｂ内を満たす冷媒の重量があるため、水冷媒熱交換器８全体の重量は、他の部品と比べて特に大きくなる。水冷媒熱交換器８の左右方向の長さは、水冷媒熱交換器８の前後方向の長さ及び上下方向の長さのいずれよりも長い。
【００１８】
図２に示すように、水冷媒熱交換器８は、容器１２に収納されている。容器１２は、例えば、発泡ポリウレタンなどの発泡プラスチックで作られており、断熱性を有する。容器１２は、左右方向の長さが、前後方向の長さ及び上下方向の長さのいずれよりも長い、ほぼ直方体状の外形を有する。容器１２は、送風機室１５内の送風機６の下方に位置するベース１７の上面に設置されている。容器１２は、ベース１７に取り付けられた板金材からなる囲部材１０により、前面、後面、左側面、及び右側面を囲まれている。水冷媒熱交換器８は、断熱蓋１３により上から覆われる。断熱蓋１３は、例えば、発泡ポリウレタンなどの発泡プラスチックで作られており、断熱性を有する。この断熱蓋１３を更に上から覆うように、板金材の蓋部材１１が設置される。
【００１９】
ベース１７の下には、ヒートポンプ給湯室外機１を地面あるいは台座に固定するための第一足部材２４及び第二足部材２５が設置されている。第一足部材２４及び第二足部材２５のそれぞれは、例えば数個の点溶接などの方法により、ベース１７の下面に取り付けられている。前面から見て左側にある第一足部材２４は、圧縮機２よりも水冷媒熱交換器８に近い位置にある。すなわち、第一足部材２４の中心と水冷媒熱交換器８の中心との距離は、第一足部材２４の中心と圧縮機２の中心との距離よりも短い。前面から見て右側にある第二足部材２５は、水冷媒熱交換器８よりも圧縮機２に近い位置にある。すなわち、第二足部材２５の中心と圧縮機２の中心との距離は、第二足部材２５の中心と水冷媒熱交換器８の中心との距離よりも短い。第一足部材２４及び第二足部材２５は、相互にほぼ同じ形状を有する。第一足部材２４及び第二足部材２５は、例えば板金材から成形される。第一足部材２４及び第二足部材２５の各々は、幅、すなわち左右方向の寸法が比較的小さい。第一足部材２４及び第二足部材２５の各々は、前後方向を長手方向とする細長い形状を有する。第一足部材２４及び第二足部材２５の各々の前端部は、筐体の前面部１８よりもわずかに前方へ出ている。第一足部材２４及び第二足部材２５の各々の後端部は、筐体の後面部１９よりもわずかに後方へ出ている。このような第一足部材２４及び第二足部材２５によれば、少ない材料で、且つヒートポンプ給湯室外機１を省スペースで安定して設置することができる。
【００２０】
図３に示すように、第一足部材２４は、水冷媒熱交換器８の重心８ｃの真下の位置よりも、圧縮機２から遠い位置にある。水冷媒熱交換器８は、第一足部材２４の上方に位置しているが、第二足部材２５の上方には位置していない。第二足部材２５の上方には、圧縮機２が位置している。このように、圧縮機２を水冷媒熱交換器８の上に配置するのではなく、圧縮機２と水冷媒熱交換器８とを横に並べてベース１７上に配置しているので、ヒートポンプ給湯室外機１の上下方向の寸法を小型化することができるとともに、材料コストを低減することができる。
【００２１】
このようなヒートポンプ給湯室外機１は、数百リットル程度の容量を有する貯湯タンクとこの貯湯タンク内の水を送る水ポンプとが組み込まれた貯湯装置（図示せず）に対し、第一外部水配管（図示せず）、第二外部水配管（図示せず）、及び電気配線（図示せず）を介して接続して使用される。水ポンプの入口部は貯湯タンク下部に接続されている。第一外部水配管は、水ポンプの出口部と、水入口バルブ２９との間を接続する。第二外部水配管は、貯湯タンク上部と、湯出口バルブ３０との間を接続する。このようにして、ヒートポンプ給湯室外機１と貯湯装置とによって給湯回路が形成される。
【００２２】
次に、貯湯装置内の貯湯タンク内の湯量及び蓄熱量を増やすための蓄熱運転におけるヒートポンプ給湯室外機１の動作について説明する。電気部品収納箱９に収納されたインバータ電源から圧縮機２内のモータに電力供給されるとモータが駆動し、モータと接続された圧縮機２内の圧縮部が駆動する。インバータ電源は、モータの回転速度を数十ｒｐｓ（Ｈｚ）〜百ｒｐｓ（Ｈｚ）程度の所定の回転速度に変化させる。これにより、冷媒が循環して行われるヒートポンプサイクルの循環速度、すなわち冷媒の流量を変化させることにより、所定の加熱能力に調節制御している。また、電気部品収納箱９に収納されたインバータ電源から送風機６のモータに電力供給されるとモータが駆動し、モータと接続された送風機６のプロペラ翼が回転駆動する。インバータ電源は、モータの回転速度を数百ｒｐｍ〜千ｒｐｍ程度に変化させ、空気冷媒熱交換器７を通過する空気の流量を変化させることにより、空気冷媒熱交換器７での冷媒と空気との間の熱交換量を所定の量に調節制御している。送風機６の送風により、空気が空気冷媒熱交換器７を通過する。また、電気部品収納箱９に収納されたインバータ電源から膨張弁の本体外側面に取り付けられたコイル部材に通電されると、膨張弁はコイルに発生する電磁作用により内部の流路抵抗調節部を稼動させて冷媒の流路抵抗度を調節し、膨張弁の上流側の高圧冷媒と下流側の低圧冷媒とを所定の圧力に調節制御している。圧縮機２の回転速度、送風機６の回転速度、膨張弁の流路抵抗度は、ヒートポンプ給湯室外機１の設置環境及び使用環境に応じて制御される。圧縮機２内の圧縮部が駆動すると圧縮部内で冷媒の圧縮動作が行われ、低圧冷媒は吸入管４から圧縮機２に吸入される。低圧冷媒は圧縮機２内の圧縮部で圧縮されて高温高圧冷媒となり、圧縮機２から吐出管５に吐出される。この高温高圧冷媒は、吐出管５から水冷媒熱交換器８の冷媒入口部に流入し、水冷媒熱交換器８で低温水と熱交換し、低温水を加熱して高温湯を生成させる。高温高圧冷媒は、水冷媒熱交換器８にてエンタルピ及び温度を低下させる。この高圧冷媒は、水冷媒熱交換器８の冷媒出口部から出口側冷媒配管を通って膨張弁の入口部に流入する。高圧冷媒は膨張弁にて所定の圧力に減圧され温度降下し低温低圧冷媒となる。この低温低圧冷媒は、膨張弁の出口部から空気冷媒熱交換器７の入口部に流入する。低温低圧冷媒は空気冷媒熱交換器７にて空気と熱交換し、エンタルピを増加させる。その後、低圧冷媒は、空気冷媒熱交換器７の出口部から吸入管４に流入し、圧縮機２に吸入される。このように冷媒が循環してヒートポンプサイクルが行われる。同時に、貯湯装置内の水ポンプにより貯湯装置内の貯湯タンク内の下部の低温水が第一外部水配管を通り、ヒートポンプ給湯室外機１の水入口バルブ２９を介して内部水配管２７に流入し、水冷媒熱交換器８の水入口部に流入し、水冷媒熱交換器８で冷媒と熱交換し加熱されて高温湯が生成される。生成された高温湯は水冷媒熱交換器８の湯出口部から内部水配管２８に流入し、湯出口バルブ３０を介して第二外部水配管を通り、貯湯装置内の貯湯タンクの上部に流入する。このような蓄熱運転により、貯湯タンク内の高温湯の量が増やされる。
【００２３】
図３に示すように、水冷媒熱交換器８の本体は、水が通る水配管８ａの外周に、冷媒が通る複数（図示の構成では３本）の冷媒管８ｂを螺旋状に巻き付けた構造の長尺物で構成されている。便宜上、図３では、冷媒管８ｂを一部分のみ図示しているが、水冷媒熱交換器８の本体は、ほぼ全長に渡って、水配管８ａの外周に冷媒管８ｂが巻き付けられた構成となっている。冷媒管８ｂは、水配管８ａの外周に密着して巻かれており、例えばハンダ付け、あるいはロウ付け等により固着されている。ただし、両者が圧接等によってのみ接合されていてもよい。水冷媒熱交換器８の本体は、このような長尺物を、容器１２に収納可能となるように、複数箇所で曲げ成形することにより巻回した形状とされたものである。
【００２４】
図４は、図１に示すヒートポンプ給湯室外機１の一部を模式的に示す正面断面図である。図５は、図１に示すヒートポンプ給湯室外機１の一部を示す正面図である。図４に示すように、容器１２は、ベース１７に接する第一下面１２ａと、ベース１７に接しない第二下面１２ｂとを有する。弾性を有する弾性部材２６がベース１７の上に配置されている。弾性部材２６は、防振部材または制振部材に相当する。弾性部材２６の下面は、ベース１７の上面に接している。弾性部材２６の上面は、容器１２の第二下面１２ｂに接している。第二下面１２ｂは、ベース１７の上面と向かい合う。第二下面１２ｂと、ベース１７の上面との間の隙間に弾性部材２６が配置されている。
【００２５】
図５に示すように、弾性部材２６は、第一足部材２４と第二足部材２５との間の位置の上方にある。図４に示すように、容器１２は、底壁１２ｃと、側壁１２ｄとを有する。側壁１２ｄは、底壁１２ｃの周縁部から上方へ向かって延びている。底壁１２ｃ及び側壁１２ｄにより囲まれる空間に水冷媒熱交換器８が配置されている。第一下面１２ａ及び第二下面１２ｂは、底壁１２ｃの下面に相当する。容器１２は、右端部１２ｅ及び左端部１２ｆを有する。右端部１２ｅは、容器１２のうちで圧縮機２に最も近い位置にある第一端部に相当する。左端部１２ｆは、容器１２のうちで圧縮機２から最も遠い位置にある第二端部に相当する。
【００２６】
水冷媒熱交換器８の重量の一部は、容器１２の第一下面１２ａからベース１７の上面へ直接的に伝わる。水冷媒熱交換器８の重量の他の一部は、容器１２の第二下面１２ｂから、弾性部材２６を介して、ベース１７の上面へ間接的に伝わる。弾性部材２６の上下方向の寸法は、弾性部材２６の厚さに相当する。弾性部材２６は、上下方向に伸縮可能である。すなわち、弾性部材２６が伸縮すると、弾性部材２６の厚さが変化する。本実施の形態における弾性部材２６は、全域にわたって厚さがほぼ一定である平坦な形状を有している。弾性部材２６の前後方向の寸法は、容器１２の前後方向の寸法と同程度でもよい。
【００２７】
弾性部材２６は、例えば、ゴム材、ゴム中空材、ブチルゴム材、金属バネ材のうちの少なくとも１種を用いて作られたものであることが好ましい。弾性部材２６は、弾性特性及び減衰特性を有する部材である。弾性部材２６は、複数の部品を組み合わせて作られたものでもよい。弾性部材２６は、容器１２よりも低い弾性率を有するものであることが望ましい。例えば、弾性部材２６は、上下方向の歪みに関する縦弾性係数が容器１２よりも低いものであることが望ましい。弾性部材２６の弾性率を容器１２よりも低くすることで、水冷媒熱交換器８の振動を低減する上でさらに有利になる。また、弾性部材２６は、容器１２よりも高い減衰特性を有することが望ましい。
【００２８】
第二下面１２ｂは、第一下面１２ａよりも高い位置にある。第一下面１２ａが形成された領域は、第二下面１２ｂが形成された領域に対して下方向へ突出した凸部１２ｇに相当する。第一下面１２ａは、第一足部材２４の上方にある。正面から見て、第一下面１２ａ及び凸部１２ｇは、第一足部材２４の上方と、容器１２の左端部１２ｆの近傍とを含む範囲に形成されている。本実施の形態であれば、第二下面１２ｂが第一下面１２ａよりも高い位置にあることで、弾性部材２６を配置するスペースを容易に確保することができる。
【００２９】
変形例として、容器１２に凸部１２ｇを設けることに代えて、ベース１７の上面に形成した凸部が容器１２の第一下面１２ａに接するように構成してもよい。その場合には、第一下面１２ａと第二下面１２ｂとが同じ高さの位置にあってもよい。
【００３０】
次に、弾性部材２６がないと仮定した場合における、圧縮機２の動作とヒートポンプ給湯室外機１の振動、騒音、低周波音の発生との関係について説明する。圧縮機２内の圧縮部が駆動し、圧縮部内で冷媒の圧縮動作が行われる時、冷媒の圧力変動及び内部の可動部品の動作により、圧縮機２には上下方向、横方向等いくつかの方向のそれぞれ並進振動及び回転振動が発生する。それらの振動の周波数成分は、圧縮機２の回転速度の整数倍であり、低い倍数の周波数成分の方が大きく発生する傾向がある。圧縮機２の振動は、防振マウント３からベース１７に伝達し、更に筐体の前面部１８、後面部１９、上面部２０、右側面部２１及び左側面部２２（以下、総称して単に「筐体」と言う）に伝達する。また、圧縮機２の振動は、吸入管４から空気冷媒熱交換器７に伝達し、ベース１７及び筐体に伝達する。更に、圧縮機２の振動は、吐出管５から水冷媒熱交換器８に伝達し、ベース１７に伝達し、筐体に伝達する。このようにして、圧縮機２の振動がベース１７及び筐体に伝達することにより、ヒートポンプ給湯室外機１の振動、騒音、低周波音の原因となる。また、これら伝達する振動の周波数と、ヒートポンプ給湯室外機１の構造部品単独の固有振動数、あるいは複数の構造部品が組み合わされた構造体の固有振動数が近い場合には、共振現象が発生し、大きな振動、騒音、低周波音を引き起こすこともある。
【００３１】
水冷媒熱交換器８の重量は大きい為、水冷媒熱交換器８、ベース１７、第一足部材２４、第二足部材２５を組み合わせた構造体の並進、傾き、捩れ、等の固有振動数は１００Ｈｚ以下の場合が多い。この固有振動数は、圧縮機２の回転速度の１倍あるいは２倍付近なので、ヒートポンプ給湯室外機１の運転中に圧縮機２の振動が吐出管５から水冷媒熱交換器８に伝達すると、水冷媒熱交換器８とベース１７にはこれら周波数付近の低周波振動が共振して大きく発生し易く、ベース１７から放射される低周波音が増加し、ベース１７から筐体に伝達する低周波振動が増加し、筐体から放射される低周波音が増加する場合が多い。
【００３２】
特に、水冷媒熱交換器８の下方に相当する箇所に第一足部材２４が取り付けられ、圧縮機２の下方に相当する箇所に第二足部材２５が取り付けられており、第一足部材２４は水冷媒熱交換器８の重心８ｃの真下よりも圧縮機２から遠い位置にあるので、第一足部材２４の取り付け部を支点として、水冷媒熱交換器８全体とベース１７とが一体となって、容器１２の右端部１２ｅ付近でベース１７が折れ曲がりながら上下に揺動するような振動形態の低周波振動が発生し易い。図５は、このような水冷媒熱交換器８及びベース１７の振動形態を模式的に示している。同図が示すとおり、この振動形態において、第一足部材２４付近よりも、第一足部材２４と第二足部材２５との間の位置の方が、水冷媒熱交換器８及びベース１７の振幅が大きい。このように、水冷媒熱交換器８の、圧縮機２に近い側の端部の近くで振幅が最大となる振動形態の低周波振動が発生し易い。その結果、ベース１７から放射される低周波音が増加し、筐体各部に伝達する低周波振動が増加し、筐体各部から放射される低周波音が増加する特性が顕著である。
【００３３】
これとは対照的に、本実施の形態であれば、弾性部材２６を備えたことで、以下の効果が得られる。水冷媒熱交換器８の振動は、弾性部材２６により低減されながらベース１７に伝達する。水冷媒熱交換器８及びベース１７が振動する際に、弾性部材２６が伸縮し、ベース１７の上面と容器１２の第二下面１２ｂとの間隔が変化する。このとき、伸縮する弾性部材２６は、振動を吸収及び減衰させるように作用する。その結果、ベース１７から放射される低周波音が確実に低減され、ベース１７から筐体各部へ伝達する低周波振動が確実に低減され、筐体各部から放射される低周波音が確実に低減される。本実施の形態において、第一足部材２４の上方の位置には弾性部材２６が配置されていない。第一足部材２４の上方の位置では、水冷媒熱交換器８の振幅は大きくなりにくいので、水冷媒熱交換器８の振動が弾性部材２６を介さずにベース１７に伝達しても、ベース１７の振動は大きくならない。
【００３４】
本実施の形態によれば、弾性部材２６を配置する領域の面積を、容器１２の下面全体の面積よりも小さくすることができる。このため、弾性部材２６による製造コストの上昇を抑制できる。また、本実施の形態であれば、ベース１７及び筐体各部の板厚を上げて剛性を上げる必要が無いので、ヒートポンプ給湯室外機１の著しいコストの増加が防止される。
【００３５】
また、図４に示すように、本実施の形態では、第一下面１２ａと第二下面１２ｂとの境界１２ｈから容器１２の右端部１２ｅまでの範囲の一部のみに弾性部材２６が配置されている。すなわち、弾性部材２６の左端部は、境界１２ｈよりも右側の位置にあり、弾性部材２６の右端部は、容器１２の右端部１２ｅよりも左側の位置にある。これにより、本実施の形態では、弾性部材２６の大きさをさらに小さくしながら、ヒートポンプ給湯室外機１の低周波音を確実に低減することが可能となる。
【００３６】
以上のように、本実施の形態によれば、ヒートポンプ給湯室外機１の低周波音の低減に効果があり、コストの増加を抑制しながら低周波音において静粛面で優れたヒートポンプ給湯室外機１を得ることができる。給湯を行うヒートポンプ給湯室外機１は、深夜電力を利用する場合が多く、深夜の騒音及び振動、特に低周波音には使用者の関心が高い。このため、本実施の形態による低周波音の低減効果は著しく貢献する。特に、二酸化炭素を冷媒として使用したヒートポンプ給湯室外機１は、Ｒ４１０Ａ冷媒を使用した空調機と比較して、圧縮機２に発生する振動が大きい。そのような、ヒートポンプ給湯室外機１が深夜電力を利用して運転される場合の深夜の低周波音の低減において、本実施の形態はさらに貢献する。
【００３７】
本開示において、水冷媒熱交換器の構造は、前述した構造に限定されるものではない。例えば、本開示における水冷媒熱交換器は、水配管と冷媒管とが直線状に密着接合された構造のものでもよい。また、水冷媒熱交換器は、水配管等の外部配管の中に冷媒管等の内部冷媒管が設けられる等の多重管構造のものでもよい。
【００３８】
また、本実施の形態では、水冷媒熱交換器８にて冷媒と水との間で熱を交換して高温湯を生成するヒートポンプ給湯室外機１を例に説明したが、本開示によるヒートポンプ装置は、水以外の液状熱媒体（例えば、ブライン、不凍液等）と冷媒との間で熱を交換する熱交換器を備えたもの（例えば、床暖房用のヒートポンプ室外機）などにも同様に適用可能である。
【００３９】
実施の形態２．
次に、図６及び図７を参照して、実施の形態２について説明するが、前述した実施の形態１との相違点を中心に説明し、同一部分または相当部分については説明を簡略化または省略する。図６は、実施の形態２によるヒートポンプ給湯室外機１Ａの一部を示す正面図である。図７は、図６に示すヒートポンプ給湯室外機１Ａの一部を模式的に示す正面断面図である。
【００４０】
図７に示すように、本実施の形態では、弾性部材２６が、容器１２の右端部１２ｅまで延びている点で実施の形態１と異なる。すなわち、本実施の形態における弾性部材２６の配置領域は、実施の形態１よりも右方向へ拡大されている。本実施の形態であれば、図６に示すような水冷媒熱交換器８及びベース１７の振動を弾性部材２６によって実施の形態１よりもさらに低減することができる。その結果、ヒートポンプ給湯室外機１の低周波音をより確実に低減することが可能となる。
【００４１】
実施の形態３．
次に、図８を参照して、実施の形態３について説明するが、前述した実施の形態１との相違点を中心に説明し、同一部分または相当部分については説明を簡略化または省略する。図８は、実施の形態３によるヒートポンプ給湯室外機１Ｂの一部を模式的に示す正面断面図である。
【００４２】
図８に示すように、本実施の形態では、弾性部材２６のうちの圧縮機２に近い部分の厚さが、弾性部材２６のうちの圧縮機２から遠い部分の厚さよりも厚くなっている。これにより、以下の効果が得られる。水冷媒熱交換器８及びベース１７の振動の振幅がより大きくなる位置において、弾性部材２６の厚さがより厚くなる。このため、水冷媒熱交換器８及びベース１７の振動を弾性部材２６によって実施の形態１よりもさらに低減することができる。その結果、ヒートポンプ給湯室外機１の低周波音をより確実に低減することが可能となる。
【００４３】
本実施の形態では、弾性部材２６の厚さは、左から右に向かって連続的に漸増している。弾性部材２６の上面は、左から右に向かって高くなる傾斜面になっている。容器１２の第二下面１２ｂのうち、弾性部材２６の上面に接する範囲は、左から右に向かって高くなる傾斜面になっている。
【００４４】
図示の構成に代えて、弾性部材２６の厚さが、左から右に向かって段階的に増加するようにしてもよい。その場合においても、本実施の形態に類似した効果が得られる。弾性部材２６がベース１７の上面と容器１２の第二下面１２ｂとの間に配置される前の状態、すなわち弾性部材２６に外力が作用していない状態においても、弾性部材２６は、左から右に向かって連続的または段階的に増加する厚さを有する。
【００４５】
実施の形態４．
次に、図９を参照して、実施の形態４について説明するが、前述した実施の形態１との相違点を中心に説明し、同一部分または相当部分については説明を簡略化または省略する。図９は、実施の形態４によるヒートポンプ給湯室外機が備える容器１２及び弾性部材２６の下面図である。
【００４６】
図９に示すように、本実施の形態における弾性部材２６は、第二下面１２ｂの縁部に沿って延びるように配置された外側部分２６ａ，２６ｂと、第二下面１２ｂの縁部よりも内側の領域に配置された内側部分２６ｃとを有する。外側部分２６ａは、第二下面１２ｂの前縁部に沿って延びる細長い形状を有する。外側部分２６ｂは、第二下面１２ｂの後縁部に沿って延びる細長い形状を有する。内側部分２６ｃは、外側部分２６ａと外側部分２６ｂとの間にある。外側部分２６ａと内側部分２６ｃとの間の領域には、弾性部材２６が配置されていない。外側部分２６ｂと内側部分２６ｃとの間の領域には、弾性部材２６が配置されていない。
【００４７】
本実施の形態であれば、弾性部材２６が配置される領域が実施の形態１よりも小さくなるので、弾性部材２６の材料コストを低減する上でより有利になる。
【００４８】
第二下面１２ｂの縁部に沿って延びるように弾性部材２６を配置し、第二下面１２ｂの縁部よりも内側の領域には弾性部材２６が配置されないようにしてもよい。例えば、本実施の形態において、内側部分２６ｃを省略し、外側部分２６ａ，２６ｂのみを配置してもよい。そのようにすることで、弾性部材２６が配置される領域がさらに小さくなるので、弾性部材２６の材料コストを低減する上でさらに有利になる。
【００４９】
なお、上述した複数の実施の形態のうち、組み合わせることが可能な二つ以上を組み合わせて実施してもよい。
【符号の説明】
【００５０】
１，１Ａ，１Ｂ  ヒートポンプ給湯室外機、  ２  圧縮機、  ３  防振マウント、  ４  吸入管、  ５  吐出管、  ６  送風機、  ７  空気冷媒熱交換器、  ８  水冷媒熱交換器、  ８ａ  水配管、  ８ｂ  冷媒管、  ８ｃ  重心、  ９  電気部品収納箱、  ９ａ  端子台、  １０  囲部材、  １１  蓋部材、  １２  容器、  １２ａ  第一下面、  １２ｂ  第二下面、  １２ｃ  底壁、  １２ｄ  側壁、  １２ｅ  右端部、  １２ｆ  左端部、  １２ｇ  凸部、  １２ｈ  境界、  １３  断熱蓋、  １４  機械室、  １５  送風機室、  １６  仕切板、  １７  ベース、  １８  前面部、  １９  後面部、  ２０  上面部、  ２１  右側面部、  ２２  左側面部、  ２３  サービスパネル、  ２４  第一足部材、  ２５  第二足部材、  ２６  弾性部材、  ２６ａ，２６ｂ  外側部分、  ２６ｃ  内側部分、  ２７  内部水配管、  ２８  内部水配管、  ２９  水入口バルブ、  ３０  湯出口バルブ
【図１】
0006943346.tif 000002
【図２】
0006943346.tif 000003
【図３】
0006943346.tif 000004
【図４】
0006943346.tif 000005
【図５】
0006943346.tif 000006
【図６】
0006943346.tif 000007
【図７】
0006943346.tif 000008
【図８】
0006943346.tif 000009
【図９】
0006943346.tif 000010